【手続補正書】
【提出日】平成28年11月22日(2016.11.22)
【手続補正１】
【補正対象書類名】明細書
【補正対象項目名】発明の名称
【補正方法】変更
【補正の内容】
【発明の名称】拡張されたチューンアウェイ動作のための方法および装置
【手続補正２】
【補正対象書類名】特許請求の範囲
【補正対象項目名】全文
【補正方法】変更
【補正の内容】
【特許請求の範囲】
【請求項１】
第1のサブスクリプションおよび第2のサブスクリプションで通信するように構成されるユーザ機器(UE)で動作可能なワイヤレス通信の方法であって、
前記第1のサブスクリプションに関連付けられた第1のネットワークとのシグナリング手順を実行するステップと、
送信時間間隔(TTI)の初期期間の間に、前記第1のネットワークのダウンリンクチャネルを復号するステップと、
前記TTIの間、前記第1のサブスクリプションのデータが前記UEに宛てられていないことを前記復号されたダウンリンクチャネルが示す場合、前記TTIの残りの部分の間、前記第2のサブスクリプションに関連付けられた第2のネットワークからデータを受信するために、前記第2のサブスクリプションにチューンアウェイするステップと
を含む、方法。
【請求項２】
前記ダウンリンクチャネルが専用物理制御チャネル(DPCCH)または2次共通制御物理チャネル(SCCPCH)を含む、請求項1に記載の方法。
【請求項３】
前記シグナリング手順を実行するステップが無線リソース制御(RRC)シグナリング手順を実行するステップを含む、請求項1に記載の方法。
【請求項４】
前記ダウンリンクチャネル上で送信されるデータが、前記TTIの前記初期期間の間、トランスポートフォーマット組合せインジケータ(TFCI)情報を含む、請求項1に記載の方法。
【請求項５】
前記ダウンリンクチャネルを復号するステップが、前記ダウンリンクチャネルからトランスポートフォーマット組合せインジケータ(TFCI)情報を復号するステップを含む、請求項1に記載の方法。
【請求項６】
チューンアウェイするステップが、前記UEが前記第1のサブスクリプションの間にアップリンクシグナリングメッセージのためのレイヤ2肯定応答(ACK)を待っている間、前記第2のサブスクリプションにチューンアウェイするステップを含む、請求項1に記載の方法。
【請求項７】
チューンアウェイするステップが、前記UEが前記第1のサブスクリプションの間に長さインジケータを有する残りのサービスデータユニット(SDU)またはプロトコルデータユニット(PDU)を待っている間、前記第2のサブスクリプションにチューンアウェイするステップを含む、請求項1に記載の方法。
【請求項８】
チューンアウェイするステップが、前記UEが
前記シグナリング手順の応答を準備している間、または
前記シグナリング手順の再構成が完了するのを待っている間
のうちの少なくとも1つである間、前記第2のサブスクリプションにチューンアウェイするステップを含む、請求項1に記載の方法。
【請求項９】
第1のサブスクリプションおよび第2のサブスクリプションで通信するように構成されるユーザ機器(UE)であって、
前記第1のサブスクリプションに関連付けられた第1のネットワークとのシグナリング手順を実行するための手段と、
送信時間間隔(TTI)の初期期間の間に、前記第1のネットワークのダウンリンクチャネルを復号するための手段と、
前記TTIの間、前記第1のサブスクリプションのデータが前記UEに宛てられていないことを前記復号されたダウンリンクチャネルが示す場合、前記TTIの残りの部分の間、前記第2のサブスクリプションに関連付けられた第2のネットワークからデータを受信するために、前記第2のサブスクリプションにチューンアウェイするための手段と
を含む、ユーザ機器(UE)。
【請求項１０】
前記ダウンリンクチャネルが専用物理制御チャネル(DPCCH)または2次共通制御物理チャネル(SCCPCH)を含む、請求項9に記載のUE。
【請求項１１】
前記シグナリング手順を実行するための前記手段が無線リソース制御(RRC)シグナリング手順を実行するように構成される、請求項9に記載のUE。
【請求項１２】
前記ダウンリンクチャネル上で送信されるデータが、前記TTIの前記初期期間の間、トランスポートフォーマット組合せインジケータ(TFCI)情報を含む、請求項9に記載のUE。
【請求項１３】
前記ダウンリンクチャネルを復号するための前記手段が、前記ダウンリンクチャネルからトランスポートフォーマット組合せインジケータ(TFCI)情報を復号するように構成される、請求項9に記載のUE。
【請求項１４】
チューンアウェイするための前記手段が、前記UEが前記第1のサブスクリプションの間にアップリンクシグナリングメッセージのためのレイヤ2肯定応答(ACK)を待っている間、前記第2のサブスクリプションにチューンアウェイするように構成される、請求項9に記載のUE。
【請求項１５】
チューンアウェイするための前記手段が、前記UEが前記第1のサブスクリプションの間に長さインジケータを有する残りのサービスデータユニット(SDU)またはプロトコルデータユニット(PDU)を待っている間、前記第2のサブスクリプションにチューンアウェイするように構成される、請求項9に記載のUE。
【請求項１６】
ユーザ機器(UE)に、
第1のサブスクリプションに関連付けられた第1のネットワークとのシグナリング手順を実行させ、
送信時間間隔(TTI)の初期期間の間に、前記第1のネットワークのダウンリンクチャネルを復号させ、
前記TTIの間、前記第1のサブスクリプションのデータが前記UEに宛てられていないことを前記復号されたダウンリンクチャネルが示す場合、前記TTIの残りの部分の間、第2のサブスクリプションに関連付けられた第2のネットワークからデータを受信するために、前記第2のサブスクリプションにチューンアウェイさせる
ように構成されるコードを含む、非一時的コンピュータ可読記録媒体。
【請求項１７】
前記ダウンリンクチャネルが専用物理制御チャネル(DPCCH)または2次共通制御物理チャネル(SCCPCH)を含む、請求項16に記載の非一時的コンピュータ可読記録媒体。
【請求項１８】
前記シグナリング手順のために、前記コードが前記UEに無線リソース制御(RRC)シグナリング手順を実行させるように構成される、請求項16に記載の非一時的コンピュータ可読記録媒体。
【請求項１９】
前記ダウンリンクチャネル上で送信されるデータが、前記TTIの前記初期期間の間、トランスポートフォーマット組合せインジケータ(TFCI)情報を含む、請求項16に記載の非一時的コンピュータ可読記録媒体。
【請求項２０】
前記ダウンリンクチャネルを復号するために、前記コードが前記UEに前記ダウンリンクチャネルからトランスポートフォーマット組合せインジケータ(TFCI)情報を復号させるように構成される、請求項16に記載の非一時的コンピュータ可読記録媒体。
【請求項２１】
チューンアウェイするために、前記コードが前記UEに、前記UEが前記第1のサブスクリプションの間にアップリンクシグナリングメッセージのためのレイヤ2肯定応答(ACK)を待っている間、前記第2のサブスクリプションにチューンアウェイさせるように構成される、請求項16に記載の非一時的コンピュータ可読記録媒体。
【請求項２２】
チューンアウェイするために、前記コードが前記UEに、前記UEが前記第1のサブスクリプションの間に長さインジケータを有する残りのサービスデータユニット(SDU)またはプロトコルデータユニット(PDU)を待っている間、前記第2のサブスクリプションにチューンアウェイさせるように構成される、請求項16に記載の非一時的コンピュータ可読記録媒体。
【請求項２３】
少なくとも1つのプロセッサと、
前記少なくとも1つのプロセッサに結合される通信インターフェースと、
前記少なくとも1つのプロセッサに結合されるメモリと
を備え、
前記少なくとも1つのプロセッサが、
第1のサブスクリプションに関連付けられた第1のネットワークとのシグナリング手順を実行するように構成される第1の構成要素と、
送信時間間隔(TTI)の初期期間の間に、前記第1のネットワークのダウンリンクチャネルを復号するように構成される第2の構成要素と、
前記TTIの間、前記第1のサブスクリプションのデータが前記UEに宛てられていないことを前記復号されたダウンリンクチャネルが示す場合、前記TTIの残りの部分の間、第2のサブスクリプションに関連付けられた第2のネットワークからデータを受信するために、前記第2のサブスクリプションにチューンアウェイするように構成される第3の構成要素と
を含む、ユーザ機器(UE)。
【請求項２４】
前記ダウンリンクチャネルが専用物理制御チャネル(DPCCH)または2次共通制御物理チャネル(SCCPCH)を含む、請求項23に記載のUE。
【請求項２５】
前記シグナリング手順のために、前記第1の構成要素が無線リソース制御(RRC)シグナリング手順を実行するようにさらに構成される、請求項23に記載のUE。
【請求項２６】
前記ダウンリンクチャネル上で送信されるデータが、前記TTIの前記初期期間の間、トランスポートフォーマット組合せインジケータ(TFCI)情報を含む、請求項23に記載のUE。
【請求項２７】
前記ダウンリンクチャネルを復号するために、前記第2の構成要素が前記ダウンリンクチャネルからトランスポートフォーマット組合せインジケータ(TFCI)情報を復号するようにさらに構成される、請求項23に記載のUE。
【請求項２８】
チューンアウェイするために、前記第3の構成要素が、前記UEが前記第1のサブスクリプションの間にアップリンクシグナリングメッセージのためのレイヤ2肯定応答(ACK)を待っている間、前記第2のサブスクリプションにチューンアウェイするようにさらに構成される、請求項23に記載のUE。
【請求項２９】
チューンアウェイするために、前記第3の構成要素が、前記UEが前記第1のサブスクリプションの間に長さインジケータを有する残りのサービスデータユニット(SDU)またはプロトコルデータユニット(PDU)を待っている間、前記第2のサブスクリプションにチューンアウェイするようにさらに構成される、請求項23に記載のUE。
【請求項３０】
チューンアウェイするために、前記第3の構成要素が、前記UEが
前記シグナリング手順の応答を準備している間、または
前記シグナリング手順の再構成が完了するのを待っている間
のうちの少なくとも1つである間、前記第2のサブスクリプションにチューンアウェイするようにさらに構成される、請求項23に記載のUE。